(57)【要約】【課題】発信者は使用する言語を従来よりも容易に選択することができる技術を提供する。【解決手段】サービス提供サーバは、発信端末である移動通信端末の利用者の母国語でない言語の移動通信端末における使用回数をカウントする計数部１２と、カウントされた言語の使用回数を記憶する計数用データベース１２１と、計数用データベースを参照して、使用回数が多い言語のリストを生成する生成部１３と、リストを上記移動通信端末に送信する送信部１４と、利用者により上記リストから選択された言語及び母国語により、移動通信端末と着信端末である他の移動通信端末との間の通話内容を翻訳する翻訳部１５と、を備える。【選択図】図１
2014041534.tif 000002
【特許請求の範囲】
【請求項１】
発信端末である移動通信端末の利用者の母国語でない言語の上記移動通信端末における使用回数をカウントする計数部と、
上記カウントされた言語の使用回数を記憶する計数用データベースと、
上記計数用データベースを参照して、使用回数が多い言語のリストを生成する生成部と、
上記リストを上記移動通信端末に送信する送信部と、
上記利用者により上記リストから選択された言語及び上記母国語により、上記移動通信端末と着信端末である他の移動通信端末との間の通話内容を翻訳する翻訳部と、
を含むサービス提供サーバ。
【請求項２】
請求項１のサービス提供サーバであって、
上記他の移動通信端末の移動通信ネットワーク識別情報に含まれる国コードに基づいて、上記他の移動通信端末の利用者の属する国において使用される言語を取得する取得部を更に含み、
上記生成部は、上記使用回数が多い言語と上記取得された言語との両方に共通する言語のリストを生成する、
サービス提供サーバ。
【請求項３】
請求項１又は２のサービス提供サーバであって、
上記計数部は、上記サービス提供サーバで提供されるサービスに加えて上記サービス提供サーバ以外の他のサービス提供サーバで提供されるサービスでの上記移動通信端末における上記母国語でない言語の使用回数をカウントする、
サービス提供サーバ。
【請求項４】
計数部が、発信端末である移動通信端末の利用者の母国語でない言語の上記移動通信端末における使用回数をカウントして、上記カウントされた言語の使用回数を計数用データベースに記憶させる計数ステップと、
送信部が、上記計数用データベースを参照して、使用回数が多い言語のリストを生成する生成ステップと、
送信部が、上記リストを上記移動通信端末に送信する送信ステップと、
翻訳部が、上記利用者により上記リストから選択された言語及び上記母国語により、上記移動通信端末と着信端末である他の移動通信端末との間の通話内容を翻訳する翻訳ステップと、
を含むサービス提供方法。
【請求項５】
発信端末である移動通信端末の利用者の母国語でない言語の上記移動通信端末における使用回数をカウントする計数部と、
上記カウントされた言語の使用回数を記憶する計数用データベースと、
上記計数用データベースを参照して、使用回数が多い言語のリストを生成する生成部と、
上記リストから使用する言語を上記利用者に選択させる選択部と、
上記選択された言語を、上記選択された言語及び上記母国語により、上記移動通信端末と着信端末である他の移動通信端末との間の通話内容を翻訳するサービスを提供するサービス提供サーバに送信する送信部と、
を含む移動通信端末。
【請求項６】
サービス提供サーバと、
移動通信端末と、
を含むサービス提供システムであって、
上記サービス提供サーバは、発信端末である上記移動通信端末の利用者の母国語でない言語の上記移動通信端末における使用回数をカウントする計数部と、上記カウントされた言語の使用回数を記憶する計数用データベースと、上記計数用データベースを参照して使用回数が多い言語のリストを生成する生成部と、上記リストを上記移動通信端末に送信する送信部と、上記利用者により上記リストから選択された言語及び上記母国語により上記移動通信端末と着信端末である他の移動通信端末との間の通話内容を翻訳する翻訳部と、を含み、
上記移動通信端末は、上記リストから使用する言語を上記利用者に選択させる選択部を含む、
サービス提供システム。
【発明の詳細な説明】
【技術分野】
【０００１】
この発明は、通信を介して翻訳サービスを提供する技術に関する。
【背景技術】
【０００２】
現在、発信者が任意の言語を使って話した内容を自動的に他の言語に翻訳する翻訳機や翻訳システムが実用化されている。従来の翻訳機としては、遠隔会話型の翻訳機と呼ばれるものがある。
【０００３】
遠隔会話型の翻訳機は、自動翻訳サービスであり、電話機の音声通信機能と、翻訳機能とを備えている。遠隔会話型の翻訳機は、通話者は母国語で話しながら、この母国語を理解できない他者にも自身の意思を伝えることを可能にする。
【０００４】
また、遠隔会話型の翻訳機としては、特許文献１に記載された電話システムが知られている。特許文献１に記載された電話システムは、電話の内容を翻訳して通話先に送信することができるのみならず、発信者の通話音声をも通話先に送信することができる。このため、特許文献１に記載の電話システムを用いることにより、あたかも通訳を介して着信者と会話しているような感覚をユーザに与えることができるようになる。
【先行技術文献】
【特許文献】
【０００５】
【特許文献１】特開２００３−１４３２９９号公報
【発明の概要】
【発明が解決しようとする課題】
【０００６】
このような特許文献１に記載された電話システム等の従来の遠隔会話型の翻訳機では、使用可能な言語が辞書順等の所定の順序で並べられたリストを発信者に提示して、発信者がそのリストから使用する言語を選択している。この場合、その選択された言語を用いて翻訳サービスが行われる。
【０００７】
しかしながら、発信者及び着信者が使用する言語と発信者及び着信者が使用しない言語とが上記リストには混在している場合には、発信者がそのリストから使用する言語を選択することが困難である。
【０００８】
この発明の目的は、使用する言語を従来よりも容易に選択することができるサービス提供サーバを提供することである。
【課題を解決するための手段】
【０００９】
この発明の一態様によるサービス提供サーバによれば、発信端末である移動通信端末の利用者の母国語でない言語の移動通信端末における使用回数をカウントする計数部と、カウントされた言語の使用回数を記憶する計数用データベースと、計数用データベースを参照して、使用回数が多い言語のリストを生成する生成部と、リストを上記移動通信端末に送信する送信部と、利用者により上記リストから選択された言語及び母国語により、移動通信端末と着信端末である他の移動通信端末との間の通話内容を翻訳する翻訳部と、を備える。
【発明の効果】
【００１０】
使用回数が多い言語のリストを発信者に提示することにより、発信者は使用する言語を従来よりも容易に選択することができる。
【図面の簡単な説明】
【００１１】
【図１】サービス提供システムの例を説明するためのブロック図。
【図２】第一実施形態のサービス提供サーバを説明するためのブロック図。
【図３】計数用データベースに記憶された管理テーブルの例を示す図。
【図４】サービス提供サーバの処理を説明するためのフローチャート。
【図５】第二実施形態のサービス提供サーバを説明するためのブロック図。
【図６】判定用データベースに記憶された管理テーブルの例を示す図。
【図７】第三実施形態のサービス提供システムを説明するためのブロック図。
【図８】第三実施形態のサービス提供サーバを説明するためのブロック図。
【図９】第四実施形態の発信者が用いる移動通信端末を説明するためのブロック図。
【発明を実施するための形態】
【００１２】
以下、図面を参照して、サービス提供サーバ及び方法、移動通信端末並びにサービス提供システムの実施形態について詳細に説明する。
【００１３】
［第一実施形態］
第一実施形態のサービス提供システムは、図１に示すように、サービス提供サーバ１、移動通信端末２１、交換機２２、移動通信端末３１及び交換機３２を例えば備えている。移動通信端末２１及び交換機２２は、移動通信ネットワーク２に属している。移動通信端末３１及び交換機３２は、移動通信ネットワーク３に属している。
【００１４】
移動通信端末２１は、図１には記載していない基地局を経由して、交換機２２と通信を行う。同様に、移動通信端末３１は、図１には記載していない基地局を経由して、交換機３２と通信を行う。移動通信ネットワーク２及び移動通信ネットワーク３は、交換機２２及び交換機３２を介して互いに接続されている。
【００１５】
移動通信端末２１及び移動通信端末３１は、携帯電話、スマートフォン、タブレット等の通話が可能な通信端末である。以下、移動通信端末２１を所有する利用者である発信者が、発信を行い、移動通信端末３１を所有する利用者である着信者と通話を行う場合を例に挙げて説明する。ここで、発信者の母国語と着信者の母国語とは異なるとする。
【００１６】
サービス提供サーバ１は、自動翻訳サービス等の所定のサービスを移動通信端末２１及び移動通信端末３１に提供するサーバである。サービス提供サーバ１は、交換機２２と交換機３２の少なくとも一方に接続されている。図２の例では、サービス提供サーバ１は、交換機２２及び交換機３２に接続されている。サービス提供サーバ１は、図２に示すように、取得部１１、計数部１２、生成部１３、送信部１４及び翻訳部１５を例えば備えている。
【００１７】
交換機２２は、移動通信端末２１と移動通信端末３１とが通信する場合に、移動通信端末３１が属する移動通信ネットワーク３のPLMN(public land mobile network)情報を判定する。交換機２２は、接続する移動通信ネットワーク３に存在する交換機３２を介して移動通信ネットワーク３に接続されている移動通信端末３１と通信を行う。
【００１８】
翻訳サービスを開始する旨の情報が、移動通信端末２１から交換機２２を介してサービス提供サーバ１に送信されると、サービス提供サーバ１の取得部１１が翻訳サービスを開始する旨の情報を生成部１３に送信する（ステップＳ１、図４）。
【００１９】
翻訳サービスを開始する旨の情報を受信した生成部１３は、計数用データベース１２１を参照して、使用回数が多い言語のリストを生成する（ステップＳ２）。生成された言語のリストは、送信部１４に送信される。
【００２０】
使用回数が多い言語とは、使用回数が所定の回数以上の言語、又は、使用回数が多い順に言語に順位を付けたときの、使用回数が最も多い第一位の言語を含む上位から所定の順位までの言語のことである。
【００２１】
計数用データベース１２１は、図１の例では、計数部１２に備えられている。計数部１２は、発信端末である移動通信端末２１の利用者の母国語でない言語の移動通信端末２１における使用回数をカウントする。計数用データベース１２１には、後述するように、このカウントされた言語の使用回数が記憶されている。計数部１２による言語の使用回数のカウントは、ステップＳ１の前に事前に行われる他、この例では後述するステップＳ４で行われる。
【００２２】
計数用データベース１２１に記憶されている管理テーブルの例を図３に示す。管理テーブルには、移動通信端末２１の利用者が過去に利用した各言語とその各言語の使用回数とが対応付けされている。後述するように、計数部１２は、ステップＳ４で使用回数を１だけインクリメントする旨の命令を受けると、管理テーブルの対応する言語の使用回数を１だけインクリメントする。また、管理テーブルでは、使用回数について降順になるように言語が並べられている。このようにすることで、使用回数に基づいた言語の優先順位を決めることができ、使用回数が多い言語のリストの生成が容易になる。
【００２３】
ここで、計数部１２がカウントする、移動通信端末２１の利用者の母国語でない言語の移動通信端末２１における使用回数とは、第一実施形態では、移動通信端末２１における、サービス提供サーバ１が提供する翻訳サービスでの、移動通信端末２１の利用者の母国語でない言語の使用回数のことである。すなわち、移動通信端末２１の利用者が、サービス提供サーバ１が提供する翻訳サービスにおいて過去に各言語を選択した回数のことである。
【００２４】
送信部１４は、使用回数が多い言語のリストを、交換機２２を介して移動通信端末２１に送信する（ステップＳ３）。
【００２５】
移動通信端末２１では、使用回数が多い言語のリストが利用者に提示される。利用者が、使用回数が多い言語のリストの中からある言語を選択すると、移動通信端末２１は選択された言語についての情報を、交換機２２を介してサービス提供サーバ１に送信する。
【００２６】
サービス提供サーバ１の取得部１１は、選択された言語についての情報を受信すると、選択された言語の使用回数を１だけインクリメントする旨の命令を計数部１２に対して行う。また、取得部１１は、選択された言語についての情報を翻訳部１５に送信する。
【００２７】
計数部１２は、選択された言語の使用回数を１だけインクリメントする旨の命令を受信すると、管理テーブルの中の選択された言語の使用回数を１だけインクリメントする（ステップＳ４）。
【００２８】
翻訳部１５は、移動通信端末２１の利用者により選択された言語及び移動通信端末２１の利用者の母国語により、移動通信端末２１と着信端末である移動通信端末３１との間の通話内容を翻訳する（ステップＳ５）。具体的には、翻訳部１５は、移動通信端末２１の利用者が話した通話内容を選択された言語に翻訳して交換機３２を介して移動通信端末３１に送信し、移動通信端末３１の利用者が話した通話内容を移動通信端末の利用者の母国語に翻訳して交換機２２を介して移動通信端末２１に送信する。
【００２９】
このようにして、サービス提供サーバ１の翻訳サービスが、移動通信端末２１の利用者及び移動通信端末３１の利用者に提供される。
【００３０】
このように、使用回数が多い言語のリストを発信者に提示することにより、発信者は使用する言語を従来よりも容易に選択することができる。
【００３１】
［第二実施形態］
第二実施形態のサービス提供システムは、発信者の使用回数が多い言語から、着信者が使用する可能性が高い言語を絞り込むものである。以下、第一実施形態と異なる部分を中心に説明し、第一実施形態と同様の部分については重複説明を省略する。
【００３２】
第二実施形態のサービス提供サーバ１は、図５に示すように、判定部１６を更に備えている。図５の例では、判定部１６には、判定用データベース１６１が備えられている。
【００３３】
判定用データベース１６１には、各国の国コード(MCC:Mobile Country Code)と、その各国の国名と、その各国で使用される言語についての情報とを対応付けた管理テーブルが記憶されている。図６に、管理テーブルの例を示す。
【００３４】
翻訳サービスを開始する旨の情報が、移動通信端末２１から交換機２２を介してサービス提供サーバ１に送信されると、取得部１１は、交換機２２が取得した、移動通信端末３１が属する移動通信ネットワーク３のPLMN情報を取得し、PLMN情報から国コードを取得する（ステップＳ６、図４）。国コードは、判定部１６に送信される。PLMN情報は、いわゆる移動通信ネットワーク識別情報であり、国コード及び事業者コード(MNC:Mobile Network Code)を割り出すことが可能である。
【００３５】
判定部１６は、国コードに基づいて、移動通信端末３１の利用者の属する国において使用される言語を取得する。具体的には、判定部１６は、国コードをキーとして判定用データベース１６１を参照して、国コードに対応する国で使用される言語についての情報を判定する。判定された言語についての情報は、生成部１３に送信される。
【００３６】
生成部１３は、ステップＳ２で得られたリストに掲載された使用回数が多い言語と、判定部１６により判定された言語との両方に共通する言語のリストを生成する（ステップＳ７）。言い換えれば、生成部１３は、ステップＳ２で得られた言語のリストに対して、判定部１６により判定された言語を用いて絞り込みを行う。
【００３７】
この絞り込みされた言語のリストが、第一実施形態と同様にして、発信者である移動通信端末２１の利用者に提示され、移動通信端末２１の利用者は提示されたリストから使用する言語を選択する。
【００３８】
例えば、計数用データベース１２１に図３の管理テーブルが記憶されており、生成部１３はステップＳ２の処理で使用回数が多い上位４個の言語、すなわち英語、中国語、フランス語及びスペイン語からなる言語のリストを生成したとする。また、判定用データベース１６１に図６の管理テーブルが記憶されており、移動通信端末３１のPLMN情報から国コード３２０が得られたとする。この場合、国コード３２０をキーとして判定用データベース１６１を参照することにより、移動通信端末３１が存在する国がカナダであり、カナダで使用される言語が、英語及びフランス語であることがわかる。この場合、生成部１３は、英語、中国語、フランス語及びスペイン語と、英語及びフランス語との両方に共通する英語及びフランス語からなるリストを生成する。
【００３９】
このようにして、発信者の使用回数が多い言語から、着信者が使用する可能性が高い言語を絞り込んだリストを生成することにより、着信者が使用する言語を発信者が選択することができる可能性が高まる。
【００４０】
［第三実施形態］
第三実施形態のサービス提供システムは、サービス提供サーバ１が提供する翻訳サービス以外のサービスでの、移動通信端末２１における、移動通信端末２１の利用者の母国語ではない言語の使用回数を更にカウントするものである。以下、第一実施形態と異なる部分を中心に説明し、第一実施形態と同様の部分については重複説明を省略する。
【００４１】
第三実施形態のサービス提供システムは、図８に例示するように、サービス提供サーバ４を更に備えている。サービス提供サーバ４は、サービス提供サーバ１が提供する翻訳サービス以外のサービスを移動通信端末２１の利用者に提供するサーバである。サービス提供サーバ１が提供する翻訳サービス以外のサービスとは、例えばソーシャルネットワークサービス（SNS：Social Network Service）である。サービス提供サーバ４は、図７及び図８に例示するように、交換機２２、交換機３２及びサービス提供サーバ１に接続されている。
【００４２】
移動通信端末２１が、サービス提供サーバ４が提供するサービスを利用すると、そのサービスを利用するために用いた移動通信端末２１の利用者の母国語でない言語についての情報をサービス提供サーバ１の取得部１１は交換機２２又はサービス提供サーバ４から取得する。取得部１１は、言語についての情報を取得すると、その言語の使用回数を１だけインクリメントする旨の命令を計数部１２に対して行う。
【００４３】
計数部１２は、その言語の使用回数を１だけインクリメントする旨の命令を受信すると、管理テーブルの中のその言語の使用回数を１だけインクリメントする。
【００４４】
このようにして、計数部１２は、サービス提供サーバ１で提供されるサービスに加えてサービス提供サーバ１以外の他のサービス提供サーバ４で提供されるサービスでの移動通信端末２１における移動通信端末２１の利用者の母国語でない言語の使用回数をカウントしてもよい。
【００４５】
これにより、発信者の母国語でない言語の使用回数をカウントする回数が増え、発信者が使用する可能性が高い言語を発信者が更に高い確率で選択することができる。
【００４６】
なお、第三実施形態のサービス提供システムとして、第一実施形態のサービス提供システムにサービス提供サーバ４が更に備えられている例を説明したが、もちろん第二実施形態のサービス提供システムにサービス提供サーバ４が更に備えられていてもよい。この場合のサービス提供システムの処理は、第一実施形態のサービス提供システムにサービス提供サーバ４が更に備えられている例と同様であるため、重複説明を省略する。
【００４７】
［第四実施形態］
第四実施形態のサービス提供システムは、発信者が使用する母国語以外の言語の使用回数のカウント及びリストの生成を移動通信端末２１で行うものである。言い換えれば、第四実施形態のサービス提供システムは、第一実施形態から第三実施形態のサービス提供システムにおいて、サービス提供サーバ１の取得部１１、計数部１２、計数用データベース１２１、生成部１３の少なくとも１つが、移動通信端末２１に備えられているものである。
【００４８】
以下、第四実施形態のサービス提供システムとして、第一実施形態のサービス提供システムにおいて、サービス提供サーバの取得部１１、計数部１２、計数用データベース１２１、生成部１３が移動通信端末２１に備えられているサービス提供システムを説明する。なお、第一実施形態と異なる部分を中心に説明し、第一実施形態と同様の部分については重複説明を省略する。
【００４９】
移動通信端末２１は、図９に例示するように、取得部１１、計数部１２、計数用データベース１２１、生成部１３、送受信部２１１、表示部２１２を備えている。サービス提供サーバ１は、翻訳部１５を備えている。
【００５０】
送受信部２１１は、発信者が着信者と音声通信を行うための通話部である。
【００５１】
取得部１１は、翻訳サービスを開始する旨の情報を移動通信端末２１の利用者から取得すると、その翻訳サービスを開始する旨の情報を生成部１３に送信する。
【００５２】
翻訳サービスを開始する旨の情報を受信した生成部１３は、計数用データベース１２１を参照して、使用回数が多い言語のリストを生成する。生成された言語のリストは、表示部２１２に表示される。
【００５３】
取得部１１は、表示部２１２に表示されたリストから利用者が選択した言語についての情報を取得すると、選択された言語の使用回数を１だけインクリメントする旨の命令を計数部１２に対して行う。また、取得部１１は、選択された言語についての情報を、サービス提供サーバ１の翻訳部１５に送信する。
【００５４】
翻訳部１５は、移動通信端末２１の利用者により選択された言語及び移動通信端末２１の利用者の母国語により、移動通信端末２１と着信端末である移動通信端末３１との間の通話内容を翻訳する。
【００５５】
このように、発信者が使用する母国語以外の言語の使用回数のカウント及びリストの生成を移動通信端末２１で行うことにより、使用した言語及びその使用回数という移動通信端末２１の利用者の個人情報が流出する可能性を低くすることができる。
【００５６】
［変形例等］
サービス提供サーバ１は、コンピュータによって実現することができる。この場合、この装置の各部の処理内容はプログラムによって記述される。そして、このプログラムをコンピュータで実行することにより、サービス提供サーバ１装置の各部がコンピュータ上で実現される。
【００５７】
この処理内容を記述したプログラムは、コンピュータで読み取り可能な記録媒体に記録しておくことができる。また、この形態では、コンピュータ上で所定のプログラムを実行させることにより、サービス提供サーバ１を構成することとしたが、サービス提供サーバ１の処理内容の少なくとも一部をハードウェア的に実現することとしてもよい。
【００５８】
この発明は、上述の実施形態に限定されるものではなく、本発明の趣旨を逸脱しない範囲で適宜変更が可能である。例えば、上記の実施形態及び変形例を適宜組み合わせてもよい。
【符号の説明】
【００５９】
１サービス提供サーバ
１１    取得部
１２    計数部
１２１  計数用データベース
１３    生成部
１４    送信部
１５    翻訳部
１６    判定部
１６１  判定用データベース
２      移動通信ネットワーク
２１    移動通信端末
２１１  送受信部
２１２  表示部
２２    交換機
３      移動通信ネットワーク
３１    移動通信端末
３２    交換機
４      サービス提供サーバ
【図１】
2014041534.tif 000003
【図２】
2014041534.tif 000004
【図３】
2014041534.tif 000005
【図４】
2014041534.tif 000006
【図５】
2014041534.tif 000007
【図６】
2014041534.tif 000008
【図７】
2014041534.tif 000009
【図８】
2014041534.tif 000010
【図９】
2014041534.tif 000011